(57)【要約】【課題】  電気式床暖房システムの施工過程に於いて、電熱パネル及び床仕上材の施工作業等で発生する電熱パネルの絶縁不良を常時検知する安価及び扱いが簡単な警報装置を提供し、施主及び各々施工業者の修復工事に関る損失を最小限にとどめる。【解決手段】  電気式床暖房システム等の施工時に、釘打ちミス等による絶縁不良は、電熱パネル電源線と接地層のアース線間の絶縁抵抗値の減少として絶縁抵抗計により表示される。本発明は、この抵抗値の現象変化を常時検知することで、絶縁不良発生と同じに瞬時に警報ブザー及び警報ランプ等で事故を施工者に知らせる警報装置であり、これにより無駄な修復作業による損失を最小限に押さえる。【選択図】図２
2010071634.tif 000002
【特許請求の範囲】
【請求項１】
電気式床暖房システムの施工及び床仕上材施工中、常時、電熱パネルの発熱体電源線と、電熱パネルを被う導電体のアース線間に接続し、絶縁抵抗値を見張り、特定外の異常抵抗値を感知した場合、瞬時に音及び光等による信号を発することを備えた警報装置。
【請求項２】
警報装置の駆動電源は交流１００Ｖ或いは乾電池等とする。
また、電源が交流１００Ｖ使用時に、万が一検知電流の感電防止の為、装置の電源プラグに検電機能をもたせ、絶縁層側が必ずコンセントのアース側に接続できる安全装置を備えた警報装置。
【請求項３】
警報装置本体は壁コントローラ付近に接続する為、本体と離れた作業場は、各作業騒音等により本体の信号を作業者が感知できない場合がある。その為、本体には警報信号の出力コンセント又は無線信号送信機能を備え、有線又は無線により遠隔警報を可能とする警報装置。
【請求項４】
電熱パネル複数設置時の発熱体電源線及び電熱パネルアース線の処置時の集合端子盤に関し、電熱パネル複数設置時の発熱体電源線及び電熱パネルアース線は、壁コントローラ付近に複数本集合し、警報装置を接続する際の誤接続の防止及び簡便化、また１台の警報装置で複数の電熱パネルの絶縁不良を検知できるよう、複数線集合端子盤を用いる。端子盤は、ワンタッチ式の導線脱着端子が、発熱体電源線用端子複数個、電熱パネルアース線用端子を複数個備え、各組の端子間は短絡し、端子盤から発熱体電源線と電熱パネルアース線の２本に集約される。上記の端子盤を具備する警報装置。
【請求項５】
装置内にタイマー機能を設け、絶縁不良発生日時を記録する機能を有する。
（オプション設定）
【発明の詳細な説明】
【技術分野】
【０００１】  本発明は、電気式床暖房パネル及び床仕上材施工時の釘打ちミス等による絶縁不良の発生を常時監視し、瞬時に検知し警報（遠隔を含む）を発する安全、簡便、安価な装置に関する。
【背景技術】
【０００２】  従来の電気式床暖房システム（枠材上に固定された面状発熱体と、面状発熱体を覆って設けられた導電体からなる接地層、両間にある絶縁層を有するもの。以下、電気式床暖という）の絶縁計測は、絶縁抵抗計にて数百ボルトの電圧を掛け、瞬間的に計測をする構造の為、床仕上材施工中等の常時計測は現実的に不可能である。したがって、特許文献１が示すよう床仕上材施工完了後の絶縁計測よりも、常時検知形の施工方法が理想だが、そこで指し示す導通チェッカーはどんな性能を有するものか具体性に乏しい。【０００５】  導通チェッカーは、多数市販されているが電気式床暖の絶縁不良の常時監視、瞬時検知、警報発信（遠隔を含む）、絶縁不良発生日時の記録に該当するものは無い。【０００６】  特許文献２が示す床暖房システムの試験装置は各電熱パネル毎、固有の抵抗値を記憶させる等、機能的に複雑であり、安価な供給及び、誰にでも使える簡便さには適合しない。
【特許文献１】特許公開２００７−２８５５８１参照
【特許文献２】特許公開２００３−１３９３３９参照
【発明の開示】
【発明が解決しようとする課題】
【０００７】  電熱パネルには、電熱パネル釘打ち指定印に沿って、大抵熟知した専門業者が施工する。電熱パネル上への床仕上材の施工時には、その為の釘打ち指定個所の印も表示されているが、床仕上業者の頻繁な入れ替わり等により、施工前の注意事項の申送りが煩雑になり、結果釘打ちミス等による絶縁不良が発生する。【０００８】  従来どおり床仕上材施工後に絶縁不良を発見した場合、（［０００２］参照）床仕上材撤去、電熱パネル交換、床仕上材施工と順調に修復しても多大な時間と経費、労力の損失が発生する。また、床仕上材施工後は接着後の時間経過も長い為に床仕上材撤去時、絶縁不良電熱パネルに隣接する正常電熱パネルの損傷にも繋がり、または床の波打ち等美観にも影響し、施主を始め関係業者への損失を拡大している。【０００９】  絶縁不良発生の施工責任分岐の明確化ができず、修復費用負担分担が曖昧になっている。【００１０】  本発明は、電気式床暖の施工過程に於いて、特に床仕上材の施工作業等で発生する電熱パネルの絶縁不良を常時検知し、瞬時に警報（遠隔を含む）を発し、ただちに施工を中断し、最小限の修復に留める為の安全で安価及び扱いが簡単な警報装置の提供を目的としている。
【課題を解決するための手段】
【発明の効果】
【００１１】  電気式床暖房システム施工時の釘打ちミス等の瞬時発見により、その後の修復工事の為の物理的、経済的負担の軽減に貢献するものである。また、警報装置にオプションにて取付け可能なタイマー機能により絶縁不良発生日時を記録し、施工責任分岐をより明確化することができる。
【発明を実施するための最良の形態】
【００１２】  電熱パネル及び床仕上施工前に本警報装置をコントローラー取付場所付近に接続し、電熱パネルより引き出した発熱体電源線（白線または黒線）の先端を絶縁抵抗検知接続クリップ端子に接続し、同じく電熱パネルより引き出したアース線（緑線）の先端をアース接続クリップ端子に接続する。警報ブザー及び警報ランプは装置本体に有するが、警報装置の接続場所と作業場所が異なる場合、警報装置に備えた警報出力コンセントから延長ケーブルを用いてプラグ付警報ブザー又はプラグ付警報ランプ等を施工場所にセットする。装置本体から出ている電源プラグを交流１００Ｖ用電源コンセントに差込み、（電池式の場合はそのまま）装置本体の電源スイッチを入れ、警報ブザー及び警報ランプが作動していないことを確認し、各施工作業を行う。この時、床仕上材施工終了（引渡し前検査）まで装置を使用する。
【実施例】
【００１３】図１及び図２は本発明に係る装置の一実施例の説明図である。以下これらの図面に基づき説明をする。（交流電源式）
本装置１は、本体内に絶縁検知回路を有し、検電器付電源プラグ２、絶縁検知ケーブル３、警報出力コンセント４、電源スイッチ５、電源ランプ６、警報ランプ７、警報ブザー８、リセットスイッチ９、電流ヒューズ１０を本体に具備する。
電熱パネル及び床仕上材施工前に本装置１をコントローラー取付場所付近に接続し、電熱パネルより引き出した発熱体電源線（白線又は黒線）の先端を絶縁抵抗検知接続クリップ端子３−１で接続し、同じく電気ヒータパネルより引き出したアース線（緑線）の先端をアース接続クリップ端子３−２で接続する。警報ランププ７、警報ブザー８は装置本体に具備しているが、施工場所と装置接続場所が異なる場合、装置本体にある警報出力コンセント４から延長ケーブルを用いてプラグ付警報ブザー１１−１又はプラグ付警報ランプ１１−２を施工場所まで搬入しセットする。本装置１の検電器付き電源プラグにより差込方向を定め、交流１００Ｖ用電源コンセントに差込み、本装置の電源スイッチ５を入れ、電源ランプ６が点灯していることを確認。絶縁抵抗検知接続クリップ端子３−１とアース接続クリップ端子３−２の先端で短絡させ警報ランプ７（１１−１）、警報ブザー８（１１−１）が作動し装置が正常であることを確認（リセットボタンで解除）後，電熱パネル及び床仕上材施工作業を行う。
【図面の簡単な説明】
【図１】釘打ちミス警報装置の要部説明図である。
【図２】本発明に係る釘打ちミス警報装置の一実施例の説明図である。
【符号の説明】
１・・・釘打ちミス警報装置本体、２・・・検電器付き電源プラグ、３・・・絶縁検知ケーブル、３−１・・・絶縁抵抗検知接続クリップ端子、３−２・・・アース接続クリップ端子、４・・・警報出力コンセント、５・・・電源スイッチ、６・・・電源ランプ、７・・・警報ランプ、８・・・警報ランプ、９・・・リセットスイッチ、１０・・・電流ヒューズ、１１・・・延長ケーブル、１１−１・・・警報ブザー、１１−２・・・警報ランプ、１２・・・交流１００Ｖ電源コンセント、１３−１・・・発熱体電源線、１３−２・・・アース線、１４・・・電熱パネル、１５・・・集合端子盤、
【図１】
2010071634.tif 000003
【図２】
2010071634.tif 000004